(57)【要約】【課題】緞子張り内装材の品数の限られたデザインを、その使用の仕方によって変え、その品数を実質的に増す。【解決手段】表装地１３の上に網目１５が連続して分布している表面メッシュ地１１を重ね合わせて緞子張り内装材を構成する。表面メッシュ地１１は、酸化チタン含有量０．２％以下のブライト合成繊維を５０重量％以上含むブライト糸条１４によって構成する。表面メッシュ地１１のタテ・ヨコ各１０ｍｍの単位面積（１ｃｍ2 ）において網目内部（１５）の空隙面積が占める空隙率を２０〜９０％とする。網目１５の空隙率や織編組織、色調等の仕様の異なる数種類の表面メッシュ地１１を選択して表装地１３の美観を変えることが出来、表面メッシュ地１１と表装地１３の組み合わせ方によって緞子張り内装材の品数を増すことが出来る。【選択図】図１
2005226166.tif 000002
【特許請求の範囲】
【請求項１】
表装地（１３）の上に網目（１５）が連続して分布している表面メッシュ地（１１）を重ね合わせて構成され、表面メッシュ地（１１）が酸化チタン含有量０．２％以下のブライト合成繊維を５０重量％以上含むブライト糸条（１４）によって構成され、表面メッシュ地（１１）のタテ・ヨコ各１０ｍｍの単位面積（１ｃｍ2 ）において網目内部（１５）の空隙面積が占める空隙率が２０〜９０％である緞子張り内装材。
【請求項２】
表面メッシュ地（１１）の幅方向における網目内部（１５）の空隙の寸法（Ｗ）と、表面メッシュ地（１１）の幅方向において隣合う網目（１５）と網目（１５）の間を仕切る糸条（１４）の繊度（Ｎ）の平方根（Ｎ1/2 ）と係数（ｋ）１１．３との積として算出される太さ（Ｄ＝１１．３×Ｎ1/2 ）との寸法比（Ｗ／Ｄ）が３〜１００である前掲請求項１に記載の緞子張り内装材。
【請求項３】
表装地（１３）と表面メッシュ地（１１）の間に中間メッシュ地（１２）が積層されている前掲請求項１と２に記載の緞子張り内装材。
【請求項４】
中間メッシュ地（１２）が、酸化チタン含有量０．２％以下のブライト合成繊維を５０重量％以上含むブライト糸条（１７）によって構成され、中間メッシュ地（１２）のタテ・ヨコ各１０ｍｍの単位面積（１ｃｍ2 ）において網目内部（１６）の空隙面積が占める空隙率が２０〜９０％であり、中間メッシュ地（１２）の幅方向における網目内部（１６）の空隙の寸法（ｗ）と、中間メッシュ地（１２）の幅方向において隣合う網目（１６）と網目（１６）の間を仕切る糸条（１７）の繊度（Ｎ）の平方根（Ｎ1/2 ）と係数（ｋ）１１．３との積として算出される太さ（ｄ＝１１．３×Ｎ1/2 ）との寸法比（ｗ／ｄ）が３〜１００であり、中間メッシュ地（１２）の網目（１６）の空隙率が表面メッシュ地（１１）の網目の空隙率と同等以下であり、中間メッシュ地（１２）の空隙の寸法（ｗ）と糸条（１７）の太さ（ｄ）との寸法比（ｗ／ｄ）が表面メッシュ地（１１）の空隙の寸法（Ｗ）と糸条（１４）の太さ（Ｄ）との比（Ｗ／Ｄ）と同等以下である前掲請求項３に記載の緞子張り内装材。
【発明の詳細な説明】
【技術分野】
【０００１】
本発明は、施工下地面に周縁を係止し、その周縁に囲まれる中央部を施工下地面から浮き上がらせて袋状に施工される緞子張り内装材に関するものである。
【背景技術】
【０００２】
緞子張り内装材には、織物、編物、不織布、合成紙、人工皮革、合成皮革、天然皮革、プラスチックフイルム等の可撓性面状資材が使用される。緞子張り内装材の施工においては、緞子張り内装材にボリューム感を与えるために、厚手の繊維ウエブや不織布、発泡シート等の填料が緞子張り内装材と施工下地面の間に挿填される。本願出願人は、緞子張り内装材の周縁を施工下地面に簡便且つ確実に係止するため把持部材を開発し公開している（例えば、特許文献１参照）。
【特許文献１】特開２００３−３２８５２２号公報（要約、図１）。
【発明の開示】
【発明が解決しようとする課題】
【０００３】
緞子張り内装材の施工は、緞子張り内装材を縁取るように把持部材を施工下地に取付固定し、その把持部材に囲まれる施工下地に填料を取付固定し、緞子張り内装材を縦横に緊張しつつ周縁を把持部材に係止して行われる。その際、最も注意すべきことは、施工後の温湿度の変化によって弛み皺や緊張斑が生じないように、緞子張り内装材を十分且つ均等に伸長して把持部材と把持部材の間に張り渡すと共に、伸長して係止した周縁が把持部材から食み出ないように施工時の緞子張り内装材の伸び率を計算に入れて把持部材の位置決めをし施工下地に取付固定することである。このように緞子張り内装材の施工は、施工下地面に全面接着して行う壁紙の施工のように単純なものではなく、高度の技術と熟練を要し、その施工コストは壁紙の施工コストに比して高価なものとなる。このため緞子張り内装材には、その高価な施工コストに見合った高価な織物が好んで使用され、壁紙のように施工時の伸長の妨げとなる裏打紙は貼り合わされず、従って裏打紙が貼り合わされていて吸湿伸縮する壁紙は緞子張り内装材には適用されない。そして施工時に所要の伸長性と、施工後に弛み皺が発生しない程度の形状安定性が要求されるので、緞子張り内装材は、物性品質の点でも壁紙に比して高価なものとなる。
【０００４】
このように緞子張り内装材は、それ自体の商品コストと施工コストの点で高価なものとなるので、その需要はコスト的に限られ、需要との関係からして品数を豊富に取り揃えることは現実的に困難であり、そのデザインに対する需要者の選択の余地は極限られたものとなる。そこで本発明は、緞子張り内装材の品数の限られたデザインを、その使用の仕方によって変え、その品数を実質的に増すことを目的とする。
【課題を解決するための手段】
【０００５】
本発明に係る緞子張り内装材は、表装地１３の上に網目１５が連続して分布している表面メッシュ地１１を重ね合わせて構成され、表面メッシュ地１１が酸化チタン含有量０．２％以下のブライト合成繊維を５０重量％以上含むブライト糸条１４によって構成され、表面メッシュ地１１のタテ・ヨコ各１０ｍｍの単位面積（１ｃｍ2 ）において網目内部（１５）の空隙面積が占める空隙率が２０〜９０％であることを第１の特徴とする。
【０００６】
本発明に係る緞子張り内装材の第２の特徴は、上記第１の特徴に加えて、表面メッシュ地１１の幅方向における網目内部（１５）の空隙の寸法（Ｗ）と、表面メッシュ地１１の幅方向において隣合う網目１５と網目１５の間を仕切る糸条１４の繊度（Ｎ）の平方根（Ｎ1/2 ）と係数（ｋ）１１．３との積として算出される太さ（Ｄ＝１１．３×Ｎ1/2 ）との寸法比（Ｗ／Ｄ）が３〜１００である点にある。
【０００７】
本発明に係る緞子張り内装材の第３の特徴は、上記第１、第２の何れかの特徴に加えて、表装地１３と表面メッシュ地１１の間に中間メッシュ地１２が積層されている点にある。
【０００８】
本発明に係る緞子張り内装材の第４の特徴は、上記第３の特徴に加えて、中間メッシュ地１２が、酸化チタン含有量０．２％以下のブライト合成繊維を５０重量％以上含むブライト糸条１７によって構成され、中間メッシュ地１２のタテ・ヨコ各１０ｍｍの単位面積（１ｃｍ2 ）において網目内部（１６）の空隙面積が占める空隙率が２０〜９０％であり、中間メッシュ地１２の幅方向における網目内部（１６）の空隙の寸法（ｗ）と、中間メッシュ地１２の幅方向において隣合う網目１６と網目１６の間を仕切る糸条１７の繊度（Ｎ）の平方根（Ｎ1/2 ）と係数（ｋ）１１．３との積として算出される太さ（ｄ＝１１．３×Ｎ1/2 ）との寸法比（ｗ／ｄ）が３〜１００であり、中間メッシュ地１２の網目１６の空隙率が表面メッシュ地１１の網目の空隙率と同等以下であり、中間メッシュ地１２の空隙の寸法（ｗ）と糸条１７の太さ（ｄ）との寸法比（ｗ／ｄ）が表面メッシュ地１１の空隙の寸法（Ｗ）と糸条１４の太さ（Ｄ）との比（Ｗ／Ｄ）と同等以下である点にある。
【発明の効果】
【０００９】
本発明（請求項１と２）では、緞子張り内装材を正面から見るときは表面メッシュ地１１の網目１５の空隙を透過して表面地１３の陰影をハッキリ看取することが出来るが、それを斜めから見るときは表面メッシュ地１１の網目１５と網目１５を仕切る糸条１４に遮られて表装地１３の陰影をハッキリ看取することが困難になる。特に、日照時には簾からの反射光に妨げられて屋内を戸外から覗くことが出来ないように、艶消作用をなす酸化チタンの含有量が少ないブライト合成繊維によって構成された表面メッシュ地１１は光輝を帯びているので、斜めから表面メッシュ地の網目１５を透過して表装地１３を透視することは極めて困難になる。そして正面から見る場合でも、緞子張り内装材の中央部２１は填料１８に押し上げられて隆起しており、その周縁部２２は把持部材１９の差込溝２０に押し込まれて窪んだ曲面となるので、視線の中央部２１と周縁部２２との成す角度が同じにはならず、その中央部と周縁部とでは表装地の陰影の現れ方が変わる。このため本発明の緞子張り内装材は、歩行や動作によって視点の位置が変わるとき、表装地１３の陰影の現れ方が変わり、変化に富んだ美観を呈する。そして表面メッシュ地１１の光沢によって表装地１３が絹様の光輝を帯び、緞子張り内装材の美観が高まる。そして網目１５の空隙率や織編組織、色調等の仕様の異なる数種類の表面メッシュ地１１を選択して表装地１３の美観を変えることが出来、表面メッシュ地１１と表装地１３の組み合わせ方によって緞子張り内装材の品数を増すことが出来る。
【００１０】
本発明（請求項３）によると、中間メッシュ地１２によって表面メッシュ地１１が押し上げられ、表面メッシュ地１１の空隙の寸法（Ｗ）と糸条１４の太さ（Ｄ）との寸法比（Ｗ／Ｄ）が実質的に変化し、表面メッシュ地１１の表面に見え隠れする表装地１３の陰影の変化の度合いが増幅すると共に、表面メッシュ地１１と中間メッシュ地１２の反射光が干渉して緞子張り内装材の表面に杢模様（モアレ）を生じるので、網目１６の空隙率や織編組織、色調等の仕様の異なる種々の中間メッシュ地（１２）を選択して緞子張り内装材の品数を実質的に増すことが出来る。
【００１１】
本発明（請求項４）によると、視点の位置の変化に応じて表装地１３の陰影が中間メッシュ地１２の表面で見え隠れすると共に、その中間メッシュ地１２の表面で見え隠れする表装地１３の陰影が更に表面メッシュ地１１の表面でも見え隠れし、その変化の仕方が中間メッシュ地１２の表面と表面メッシュ地１１の表面とでは異なるので、緞子張り内装材の美観が更に変化に富むものとなる。
【発明を実施するための最良の形態】
【００１２】
合成繊維には艶消剤として酸化チタン（二酸化チタン）が配合され、その含有量が０．８％を超えるものは“ダル”と称され、０．８％未満で０．１％を超えるものは“セミダル”と称され、その０％を含む０．１％以下のものは“ブライト”と称されており、表面メッシュ地１１には、そのブライトの合成繊維、特にポリエステル繊維を用いるとよい。本発明の緞子張り内装材の外観の方向性、即ち、正面から見た場合と斜めから見た場合の表装地１３の現れ方の違いは、表面メッシュ地１１の網目１５と網目１５を仕切る糸条１４の後方に表装材の陰影が隠れるか否か、および、そのブライト糸条１４の光輝による眩惑作用によって表装地１３の陰影が見え難くなるか否かによって生じる。従って、その網目間を仕切るブライト糸条（１４・１７）を構成する繊維の５０％以上好ましくは、その全てをブライト合成繊維とし、そのブライト糸条（１４・１７）の太さ（Ｄ・ｄ）と網目の空隙（１５・１６）の寸法（Ｗ・ｗ）との寸法比は、その網目（１５・１６）を透過して表装地１３の陰影が表面に現れる限りにおいて小さく、好ましくは７０以下、更に好ましくは５〜５０にすると効果的である。
【００１３】
本発明において、ブライト糸条（１４・１７）の太さ（Ｄ・ｄ）を算出するため係数（ｋ＝１１．３）は、ブライト合成繊維の比重を１とし、その繊度が１ｄｔｅｘの中実円形を成すブライト合成繊維の断面の直径（Ｄ＝１１．３μｍ）として設定される。
網目間１５・１５（１６・１６）を仕切るブライト糸条１４（１７）が一直線状に続く多数の繊維によって構成されている場合、表面毛羽の有無や撚り加減によって見掛け太さが変わるとしても、その糸条の太さ（Ｄ・ｄ）は、その糸条のトータル繊度（総デシテックス）によって規定される。又、網目間１５・１５（１６・１６）を仕切るブライト糸条１４（１７）が繊維の長さ方向を１８０度変えて絡み合った紐状の鎖編目列を形成している編成されたメッシュ地では、その紐状の鎖編目列のトータル繊度をもって網目間を仕切る糸条の太さ（Ｄ・ｄ）を規定する。
【００１４】
重ね合わせる表装地１３と表面メッシュ地１１の間、および、表装地１３と中間メッシュ地１２と表面メッシュ地１１の各間を接着することも出来るが、好ましくは、それらを接着一体化せず、ただ重ね合わせたままそれぞれの端縁２３を把持部材１９に係止することが、表装地１３と中間メッシュ地１２と表面メッシュ地１１のそれぞれを十分に伸長させる上で望ましい。何故なら、それらが接着一体化されず、ただ重なり合ったままの状態では、表装地１３とメッシュ地１１・１２の一方が他方の伸縮の妨げとならず、それぞれの伸縮性に応じて十分に緊張して把持部材間１９・１９に張り渡すことが出来、メッシュ地が表装地１３から浮き上がってブライト糸条（１４・１７）の太さ（Ｄ・ｄ）と網目（１５・１６）の空隙の寸法（Ｗ・ｗ）との寸法比が僅かながらも大きくなり、又、その寸法比が表装地１３とメッシュ地１１・１２が厚み方向に浮き沈みして変化し、緞子張り内装材の外観に変化が生じるためである。
【００１５】
把持部材１９には、図示するように、差込溝内に先端を施工下地２５に向けて傾斜した舌片２４を有するものを使用するとよく、その把持部材１９では、その差込溝２０に押し込まれた表装地１３やメッシュ地１１・１２の端縁２３が舌片２４の先端に引っ掛かって容易には差込溝２０から外れず、表装地１３やメッシュ地１１・１２を把持部材間に十分に伸長して確り張り渡すことが出来る。図において、１８は填料であり、２５は施工下地である。表装地１３には、織物、編物、不織布、合成紙、人工皮革、合成皮革、天然皮革、プラスチックフイルム等の適度の伸縮性と寸法安定性を有する可撓性面状資材が使用される。表装地１３とメッシュ地１１・１２には適宜プリント模様を施し、或いは、織編組織による図柄や模様を描出することが出来、そのそれぞれのプリント模様が複合したデザインを緞子張り内装材の表面に表現することが出来る。
【図面の簡単な説明】
【００１６】
【図１】本発明に係る緞子張り内装材の一部切截斜視図であり、その一部を円で囲んで拡大して図示している。
【符号の説明】
【００１７】
１１：表面メッシュ地
１２：中間メッシュ地
１３：表装地
１４：糸条
１５・１６：網目
１７：糸条
１８：填料
１９：把持部材
２０：差込溝
２１：中央部
２２：周縁部
２３：端縁
２４：舌片
２５：施工下地
【図１】
2005226166.tif 000003